(57)【要約】【目的】デジタルカメラとしての撮影機能を有する携帯電話の撮影用レンズ部分を汚損や破損から保護すると共にアクセサリー機能等をも備えたカメラ機能付き携帯電話のレンズ保護部材を提案する。【構成】デジタルカメラとしての写真撮影機能を有する携帯電話２のレンズ部分３周囲に取付ける、撮影機能の障害とならないようレンズ部分３に重なり合わない態様で貼付け材料４により着脱できる厚さが２ｍｍ〜５ｍｍ程度の軽量素材によるレンズ保護部材１であって、該レンズ保護部材１がアクセサリー機能を兼備えると共に被撮影者の自然な視線を集めるようにその形状にキャラクター形状を利用し、また、擬似宝石５を嵌め込む。【選択図】　　　　　　　　図１
0003097613.tif 000002
【実用新案登録請求の範囲】
【請求項１】
デジタルカメラとしての写真撮影機能を有する携帯電話のレンズ部分周囲に取付ける、撮影機能の障害とならないようレンズ部分に重なり合わない態様で貼付け材料により着脱できる厚さが２ｍｍ〜５ｍｍ程度の軽量素材によるレンズ保護部材であって、該レンズ保護部材が、アクセサリー機能を兼備えると共に被撮影者の自然な視線を集めるように、その形状にキャラクター形状を利用し、且つ／又は、擬似宝石を嵌め込んでいることを特徴とするカメラ機能付き携帯電話のレンズ保護部材。
【請求項２】
写真撮影機能を利用しない場合にレンズ部分を完全に覆って保護するふた部材を備えていることを特徴とする請求項１に記載のカメラ機能付き携帯電話のレンズ保護部材。
【請求項３】
はめ込み式のふた部材を外した場合にも紛失しないように該はめ込み式ふた部材が連結部材によってレンズ保護部材と連結されていることを特徴とする請求項１又は請求項２に記載のカメラ機能付き携帯電話のレンズ保護部材。
【考案の詳細な説明】
【０００１】
【考案の属する技術分野】
本考案は、デジタルカメラとしての撮影機能を有する携帯電話の撮影用レンズ部分を汚損や破損から保護すると共にアクセサリー機能等をも備えたカメラ機能付き携帯電話のレンズ保護部材を提案するものである。
【０００２】
【従来の技術】
現在広く普及している携帯電話は多機能化し、デジタルカメラとしての撮影機能を有するものも一般化している。このようなカメラ機能付きの携帯電話のレンズ部分は、多くの場合、レンズキャップなどによる保護はなされていない。
【０００３】
また、一般的な光学式カメラのレンズに施すレンズキャップは撮影を行わない場合にレンズを保護するものであるが、撮影時には取り外されるようになっているのみである。
【０００４】
【考案が解決しようとする課題】
しかし、上記したような従来の技術ではカメラ機能付き携帯電話の場合にはそのレンズ部に指先が触って指紋による汚損がなされたり、その他の理由により汚れたり傷ついたりすることに対する配慮は特別になされていない。
【０００５】
また、写真撮影に際して人間を被写体とする場合にはその視線を自然にカメラのレンズに向けさせるべきであるが格別な工夫がなされているわけではない。
【０００６】
さらに、携帯電話に対して様々なアクセサリー等を施して趣味性の向上を図ることがなされているが、カメラレンズ部に対してこのような配慮は特になされていない。
【０００７】
なお、一般的なカメラのレンズキャップについては撮影時に取外すことでともすれば紛失する場合が多いが、この点を解消するような提案はなされていない。
【０００８】
【課題を解決するための手段】
本考案は、上記したような従来技術における課題を解消することについて、実験と検討を繰り返し行い創案されたものであって、カメラ付き携帯電話の撮影用レンズ部分を適切に保護しながら、ユーザーの装飾的な趣味性を満足し且つ被写体である人間の視線を自然にレンズに向けさせることができ、しかも、はめ込み式のふた部材を採用する場合でもこれを取外して紛失することがないようにすることを提案するものであって、具体的には以下の如くである。
【０００９】
（１）　デジタルカメラとしての写真撮影機能を有する携帯電話のレンズ部分周囲に取付ける、撮影機能の障害とならないようレンズ部分に重なり合わない態様で貼付け材料により着脱できる厚さが２ｍｍ〜５ｍｍ程度の軽量素材によるレンズ保護部材であって、該レンズ保護部材が、アクセサリー機能を兼備えると共に被撮影者の自然な視線を集めるように、その形状にキャラクター形状を利用し、且つ／又は、擬似宝石を嵌め込んでいることを特徴とするカメラ機能付き携帯電話のレンズ保護部材。
【００１０】
（２）　写真撮影機能を利用しない場合にレンズ部分を完全に覆って保護するふた部材を備えていることを特徴とする前記（１）項に記載のカメラ機能付き携帯電話のレンズ保護部材。
【００１１】
（３）　　はめ込み式のふた部材を外した場合にも紛失しないように該はめ込み式ふた部材が連結部材によってレンズ保護部材と連結されていることを特徴とする前記（１）項又は（２）項に記載のカメラ機能付き携帯電話のレンズ保護部材。
【００１２】
【考案の実施の形態】
上記した本考案の具体的な実施の態様の若干例を添付図面に示すところに従って説明すると以下の如くである。
即ち、図１は、本考案によるレンズ保護部材１をカメラ機能付き携帯電話２のレンズ部分３に対して取付けた場合の１例を示したものである。
【００１３】
つまり、このようなカメラ機能付き携帯電話２は広く一般に普及しているが、撮影手順が略定式化していることから、この携帯電話２の本体に備付けられる撮影用レンズ３の位置や大きさも、携帯電話２の機種が様々に存在しているとしても略同様な箇所に定められている。したがって、このレンズ３部分にレンズ保護部材１を取付ける場合も携帯電話２の機種の相違にかかわらず、略同様の形状・サイズのものが利用できるようになっている。
【００１４】
この携帯電話２の撮影用レンズ３そのものは透明プラスチックの如きによって保護されているとしても、この透明プラスチック自体は携帯電話２を持ち歩いたり使用する際に指先で触れたり、他の物が当ったりして汚れや破損の危険が存在し、結局、撮影機能が損なわれる可能性がある。本考案は、このレンズ３部分の汚れや破損を防ぐと共に適宜なアクセサリー機能も兼ね備えたレンズ保護部材１として、レンズ３部分の周囲に貼り付ける新しい部材である。
【００１５】
このレンズ保護部材１は、接着シールやテープのような貼付け材料４を利用してレンズ３の周囲に撮影機能の障害とならない態様で取付けるものである。つまり、取付けた際にレンズ３の上にくる部分をくり抜くことで撮影機能の障害となることがなく、また、このレンズ保護部材１を適切な箇所に貼り付けることで、レンズ３部分に指先などが触り難くなり、他の物品等も当り難くなるので汚れや破損の危険性が少なくなるものである。
【００１６】
このレンズ保護部材１は２ｍｍ〜５ｍｍ程度の厚さを持ったプラスチック又は軽量な金属などにより形成されるものである。すなわち、この程度の厚さのものをレンズ３の周囲に貼り付けることで、指先やその他の物品がレンズ３部分に触れることを有効に阻止することができ、また、軽量な素材によって形成することで上記したような貼付け材料４による携帯電話２に対する取付けであっても充分な取付け保持状態が維持できるものである。
【００１７】
また、本考案のレンズ保護部材１はアクセサリー機能をも兼備したものであるので、利用者の好みに応じて着脱して取替え得るものである必要がある。したがって、上記貼付け材料４の性質として、取り外した際にも携帯電話２に対する貼付け箇所に接着剤等の後が残り難く、また、少なくとも数回の着脱作業を行っても接着力が衰えないものであることが望ましい。
【００１８】
上記してきたように、本考案のレンズ保護部材１はレンズ３を保護するだけではなく、アクセサリー機能をも兼備するものである。したがって、その形状として動物や人物などのさまざまなキャラクター形状を採用し、そのデザインや模様、色彩の選択によって需要者の美感や趣味性、コレクション性を刺激できる商品展開を図れるようにしている。
【００１９】
また、よりアクセサリー性を高めるためにレンズ保護部材１の適宜な箇所に適宜な個数の、ガラスやプラスチックで出来た擬似宝石５の如きを嵌め込むものとしてもよい。この場合にレンズ保護部材１の本体表面を金色や銀色の光沢色で仕上げると貴金属や宝石を利用した高価なアクセサリーと類似した外観を得ることが可能となり、需要者にアピールする商品となる。なお、この場合のレンズ保護部材１の形状としては必ずしも動物等のキャラクター形状を採用することはないが、もちろん、キャラクター形状の擬似宝石５付きレンズ保護部材１ということであっても問題ない。
【００２０】
図２は、本考案のレンズ保護部材１として採用可能な諸形式についての若干例を示している。
すなわち、レンズ３部分のより完全な保護を行うためには、少なくとも撮影機能を使用しない間は概部分が保護部材によって被包されているべきである。そこでレンズ３部分を完全に覆って保護するふた部材６を備えさせて、写真撮影機能を利用する場合にはこれを開けてレンズ３部分を露出させるようにすることができるものである。
【００２１】
このようなふた部材６の形式としては、図２（ａ）のようにレンズ保護部材１とふた部材６とを１点で連結し、概点を中心としてふた部材６がスライド回転することで開閉操作できるようにしてよいし、蝶番機構を採用して上下又は左右に開閉するようにしてもよい。また、図２（ｂ）のように、ふた部材６をレンズ保護部材１に対してはめ込み式に固定できる構造となし、写真撮影を行う場合にはこれを取り外すものとすることもできる。
【００２２】
何れにしても、撮影機能を使用しない場合にはレンズ３部分をしっかりと保護し、撮影機能を使用する際にはふた部材６が邪魔にならないようにされていればさまざまな方式が可能である。なお、図２（ｂ）のようにふた部材６を任意に取り外し得るはめ込み式を採用する場合には外したふた部材６が紛失等しないように、装飾的な連結チェーン７などによってレンズ保護部材１とつなげておくことが好ましい。
【００２３】
また、装飾的な連結チェーン７の如きを採用すればその部分において動きのあるアクセサリーとして捉えることもできるようになり、商品価値が高められることになる。
【００２４】
さらに、上記したような本考案による場合には、カメラ機能付き携帯電話２で行う写真撮影機能もある意味で向上すると考えられる。
すなわち、カメラ機能付き携帯電話２を使っての写真撮影はスナップショット的な人物撮影が多いが、この場合にレンズ３の周囲のキャラクター形状やアクセサリー形状を注目するように被撮影者に対して促せば、特に小さな子供などを撮影する場合に自然な笑顔と視線を向けられた状態での撮影が行いやすくなるものである。
【００２５】
【考案の効果】
以上説明したような本考案によるならば、カメラ機能付き携帯電話のレンズ部分を汚れや破損から保護し、且つ、キャラクター形状や擬似宝石を利用することでアクセサリー機能を有する新製品を簡単な構成で実現できるものであって、更に、人物撮影などにおいても有用な機能を有するものであり、工業的にその価値の高い考案である。
【図面の簡単な説明】
【図１】本考案のレンズ保護部材を携帯電話のレンズ部分に取付けた場合の１例を示した図面である。
【図２】本考案のレンズ保護部材について、その別の実施形態の若干例を示した図面である。
【符号の説明】
１　　レンズ保護部材
２　携帯電話
３　撮影用レンズ部
４　貼付け材料
５　擬似宝石
６　ふた部材
７　連結チェーン
【図１】
0003097613.tif 000003
【図２】
0003097613.tif 000004